(57)【要約】スマートキャビネットシステム及びその制御方法を提供する。キャビネット（８）、物品情報入力モジュール（１）、物品位置記憶モジュール（２）、物品位置表示モジュール（３）、中央制御モジュール（４）を備えるスマートキャビネットシステムにおいて、キャビネットに複数の収納領域（９）が設けられ、中央制御モジュール（４）がそれぞれ物品情報入力モジュール（１）、物品位置記憶モジュール（２）、物品位置表示モジュール（３）に繋がるスマートキャビネットシステム。  物品情報入力モジュール（１）によって物品情報を中央制御モジュール（４）に入力し、物品がキャビネット（８）に入れられた後で物品位置記憶モジュール（２）によってその位置を記憶して中央制御モジュール（４）に入力して物品情報と関連付け、受け取る時に中央制御モジュール（４）によって物品情報を検索した後で物品位置表示モジュール（３）によって物品の位置を表示するスマートキャビネットシステムの制御方法。【選択図】図１
2020524648.tif 000002
【特許請求の範囲】
【請求項１】
複数の収納領域（９）が設けられるキャビネット（８）を備えるスマートキャビネット
システムにおいて、物品情報入力モジュール（１）、物品位置記憶モジュール（２）、物
品位置表示モジュール（３）、中央制御モジュール（４）を更に備え、中央制御モジュー
ル（４）がそれぞれ物品情報入力モジュール（１）、物品位置記憶モジュール（２）、物
品位置表示モジュール（３）に繋がり、前記物品情報入力モジュール（１）は、物品情報
を中央制御モジュール（４）に入力することに用いられ、前記物品位置記憶モジュール（
２）は、物品のキャビネットに入れられた位置を記憶して中央制御モジュール（４）に入
力して物品情報と関連付けることに用いられ、前記物品位置表示モジュール（３）は、受
け取る時に中央制御モジュール（４）が物品情報を検索した後で物品の位置を表示するこ
とに用いられることを特徴とするスマートキャビネットシステム。
【請求項２】
前記物品情報入力モジュール（１）は、手動入力設備又はバーコード走査設備又はＲＦ
ＩＤチップ読み出し設備を含むことを特徴とする請求項１に記載のスマートキャビネット
システム。
【請求項３】
前記物品位置記憶モジュール（２）は、計量器又はマシンビジョン裝置又はコード付き
の無線クリップ（２０４）、無線フック（２０５）を含み、前記計量器は、キャビネット
の底部の全体に取り付けられる主計量器（２０１）、キャビネットの各々の収納領域（９
）に取り付けられるコード化された領域計量器（２０２）、それぞれキャビネットの同一
の収納領域に取り付けられる１つ又は複数のコード化された領域分計量器（２０３）を含
み、前記マシンビジョン裝置、無線クリップ（２０４）、無線フック（２０５）がそれぞ
れキャビネットの額縁に取り付けられ、計量器、マシンビジョン裝置、無線クリップ（２
０４）、無線フック（２０５）がそれぞれ中央制御モジュール（４）に接続されることを
特徴とする請求項１に記載のスマートキャビネットシステム。
【請求項４】
前記物品位置表示モジュール（３）は、キャビネットの額縁に取り付けられる光表示ラ
ンプ又は移動可能指示光ライトアーム（３０１）、又はキャビネットの縦横の額縁に取り
付けられる縦横座標表示ランプバンク（３０２）、又は無線クリップ、無線フックに取り
付けられる音響光学表示ランプを含むことを特徴とする請求項３に記載のスマートキャビ
ネットシステム。
【請求項５】
中央制御モジュール（４）に接続され、受け取る時に取り出された物品が物品位置記憶
モジュール（２）に記録される情報と一致しなく又は物品が異常に増加すると、警告し注
意するための受取監視補正システム（５）を更に備えることを特徴とする請求項１に記載
のスマートキャビネットシステム。
【請求項６】
危険物を判別するための、中央制御モジュール（４）に接続される嗅覚センサ（６）を
更に備え、中央制御モジュール（４）に危険物嗅覚警報器（７）が更に接続され、前記中
央制御モジュール（４）が更にインターネットに接続され、インターネットとモノのイン
ターネットとが互いに繋がり、前記スマートキャビネットシステムにＡＰＰアプリケーシ
ョンプラットフォーム及びＷｉｆｉが設けられることを特徴とする請求項１〜５の何れか
１項に記載のスマートキャビネットシステム。
【請求項７】
物品情報入力モジュール（１）によって物品情報を中央制御モジュール（４）に入力し
、物品がキャビネットに入れられた後で物品位置記憶モジュール（２）によってその位置
を記憶して中央制御モジュール（４）に入力して物品情報と関連付け、受け取る時に中央
制御モジュール（４）によって物品情報を検索した後で物品位置表示モジュール（３）に
よって物品の位置を表示することを特徴とするスマートキャビネットシステムの制御方法
。
【請求項８】
具体的な工程は、下記の通りであり、
Ａ配達段階：配達の時に、配達員は、物品情報読み出し裝置によって物品情報を読み出
し、物品をキャビネット内に配置した後で、物品位置記憶モジュール（２）によって物品
の位置情報を取得し、前記物品情報、位置情報を同時に中央制御モジュール（４）内に入
力して関連付け、中央制御モジュール（４）が物品情報に基づいて位置情報を受取人に送
信し、受取人の物品の所在するキャビネットの位置を知らせ、ドアがある時にキャビネッ
トのドアを開けるパスワードをランダムに生成し、前記パスワードが受取人の情報に一意
に対応し、つまり１つのパスワードによってキャビネットのドアが開けられると、ある受
取人がキャビネットのドアを開けることに対応することができ、
Ｂ受取段階：受取人が受け取る場合、ドアがある時に中央制御モジュール（４）の与え
られたパスワードによって、まずキャビネットのドアを開け、物品位置表示モジュール（
３）が対応して受取人に物品の位置を提示し、光表示ランプ又は移動可能指示光ライトア
ームのランプ光が物品の位置に自動的に指示し、又はキャビネットの縦横の額縁における
縦横座標表示ランプバンク上のランプが対応して点灯し、又は無線クリップ、無線フック
における音響光学表示ランプが起動し、取出人が自分の物品を迅速に見付けることができ
るように提示し、受取人が自分の物品を取り出すことを確認した後で離れ又はドアがある
時にドアを閉めて離れることを特徴とする請求項７に記載のスマートキャビネットシステ
ムの制御方法。
【請求項９】
工程Ａの配達段階において、物品位置記憶モジュール（２）によって物品の位置情報を
取得し或いは物品が配置される前記場合、物品により押された領域計量器及びそれぞれキ
ャビネットの同一の収納領域に取り付けられる１つ又は複数の領域分計量器は、各計量器
のコードに基づいて、物品の配置された位置を記録し、又はマシンビジョン裝置によって
、配置画像情報を記録して、物品の横縦座標を得、物品の配置された位置を記録し、又は
無線クリップ、無線フックによって物品を固定し、各無線クリップ、無線フックのコード
に基づいて、物品の配置された位置を記録することを特徴とする請求項８に記載のスマー
トキャビネットシステムの制御方法。
【請求項１０】
工程Ｂにおいて、更に、取り出された物品の重量を領域計量器、主計量器によって自動
的に照合し、或いは取り出された物品情報をマシンビジョン裝置、無線クリップ、無線フ
ックによって自動的に照合し、受取人により取り出された物品の重量が中央制御モジュー
ルの登録した受取人及びその物品の重量情報と一致であると、或いはマシンビジョン裝置
に記録される画像情報が受取人及びその物品情報と一致であり、或いは開けられた無線ク
リップ、無線フックに記録されるコード情報が受取人及びその物品情報と一致であると、
中央制御モジュールは情報を発信して、受け取りに成功するが、一致しなければ、中央制
御モジュールは受取人に情報を発信して取り出しエラーを提示して、再びキャビネットの
ドアを開けるパスワードの情報を発信し、受取人が改めて受け取るように要求するが、受
取人が実行しない場合、中央制御モジュールは、受取監視補正システム（５）が警告情報
を発信するように制御することを特徴とする請求項９に記載のスマートキャビネットシス
テムの制御方法。
【請求項１１】
工程Ａ〜工程Ｂで形成された様々な情報は、インターネット、モノのインターネットを
介して受取人のハンディターミナルに送信され、受取人のハンディターミナルがスマート
キャビネットシステムのＡＰＰアプリケーションプラットフォームに登録して認証した後
で又はＡＰＰにパスワードが入力されると、キャビネットの付近に近づいた領域において
、受取人のハンディターミナルを自動的に識別することができることを特徴とする請求項
１０に記載のスマートキャビネットシステムの制御方法。
【発明の詳細な説明】
【技術分野】
【０００１】
本発明は、物流設備及びその制御方法に関し、特に、スマートキャビネットシステム及
びその制御方法に関する。
【背景技術】
【０００２】
社会の発展につれて、中国の物流業が急速に発展されてきた。しかしながら、既知の物
流コンテナは、主に、従来のレターボックスのモードを踏襲し、荷物の各々が物流コンテ
ナにおいて引き出し又は箱を１つのみ独占し、使用率が高くなく、物流についての満たさ
れていない大きな要求が存在する。物品を集中して堆積できる物流ラックについては、そ
の使用率が向上するが、受取人が受け取る途中で、物品の人為的認識によるミスの原因で
誤って受け取ることがよくある。
【発明の概要】
【発明が解決しようとする課題】
【０００３】
本発明は、物流の正確率及び使用率を向上させるために、スマートキャビネットシステ
ム及びその制御方法を提供する。
【課題を解決するための手段】
【０００４】
複数の収納領域が設けられるキャビネットを備えるスマートキャビネットシステムにお
いて、物品情報入力モジュール、物品位置記憶モジュール、物品位置表示モジュール、中
央制御モジュールを更に備え、中央制御モジュールがそれぞれ物品情報入力モジュール、
物品位置記憶モジュール、物品位置表示モジュールに繋がり、前記物品情報入力モジュー
ルは、物品情報を中央制御モジュールに入力することに用いられ、前記物品位置記憶モジ
ュールは、物品のキャビネットに入れられた位置を記憶して中央制御モジュールに入力し
て物品情報と関連付けることに用いられる。前記物品位置表示モジュールは、受け取る時
に中央制御モジュールが物品情報を検索した後で物品の位置を表示することに用いられる
。
【０００５】
本発明の更なる技術案として、前記物品情報入力モジュールは、手動入力設備又はバー
コード走査設備又はＲＦＩＤチップ読み出し設備を含む。
【０００６】
本発明の更なる技術案として、前記物品位置記憶モジュールは、計量器又はマシンビジ
ョン裝置又はコード付きの無線クリップ、無線フックを含み、前記計量器は、キャビネッ
トの底部の全体に取り付けられる主計量器、キャビネットの各々の収納領域に取り付けら
れるコード化された領域計量器、それぞれキャビネットの同一の収納領域に取り付けられ
る１つ又は複数のコード化された領域分計量器を含み、前記マシンビジョン裝置、無線ク
リップ、無線フックがそれぞれキャビネットの額縁に取り付けられる。計量器、マシンビ
ジョン裝置、無線クリップ、無線フックがそれぞれ中央制御モジュールに接続される。
【０００７】
本発明のまた更なる技術案として、前記物品位置表示モジュールは、キャビネットの額
縁に取り付けられる光表示ランプ又は移動可能指示光ライトアーム、又はキャビネットの
縦横の額縁に取り付けられる縦横座標表示ランプバンク、又は無線クリップ、無線フック
に取り付けられる音響光学表示ランプを含む。
【０００８】
本発明の更なる技術案として、前記スマートキャビネットシステムは、中央制御モジュ
ールに接続され、受け取る時に取り出された物品が物品位置記憶モジュールに記録される
情報と一致しなく又は物品が異常に増加すると、警告し注意するための受取監視補正シス
テムを更に備える。
【０００９】
本発明の更なる技術案として、前記スマートキャビネットシステムは、危険物を判別す
るための、中央制御モジュールに接続される嗅覚センサを更に備え、中央制御モジュール
に危険物嗅覚警報器が更に接続され、前記中央制御モジュールが更にインターネットに接
続され、インターネットとモノのインターネットとが互いに繋がり、前記スマートキャビ
ネットシステムにＡＰＰアプリケーションプラットフォーム及びＷｉｆｉが設けられる。
【００１０】
本発明の別の技術案として、物品情報入力モジュールによって物品情報を中央制御モジ
ュールに入力し、物品がキャビネットに入れられた後で物品位置記憶モジュールによって
その位置を記憶して中央制御モジュールに入力して物品情報と関連付ける。受け取る時に
中央制御モジュールによって物品情報を検索した後で物品位置表示モジュールによって物
品の位置を表示するスマートキャビネットシステムの制御方法である。
【００１１】
本発明の更なる技術案として、前記方法の具体的な工程は、下記の通りである。
【００１２】
Ａ、配達段階：
配達の時に、配達員は、物品情報読み出し裝置によって物品情報を読み出し、物品をキ
ャビネット内に配置した後で、物品位置記憶モジュールによって物品の位置情報を取得し
、前記物品情報、位置情報を同時に中央制御モジュール内に入力して関連付け、中央制御
モジュールが物品情報に基づいて位置情報を受取人に送信し、受取人の物品の所在するキ
ャビネットの位置を知らせ、ドアがある時にキャビネットのドアを開けるパスワードをラ
ンダムに生成し、前記パスワードが受取人の情報に一意に対応し、つまり１つのパスワー
ドによってキャビネットのドアが開けられると、ある受取人がキャビネットのドアを開け
ることに対応することができる。
【００１３】
Ｂ、受取段階：
【００１４】
受取人が受け取る場合、ドアがある時に中央制御モジュールの与えられたパスワードに
よって、まずキャビネットのドアを開け、物品位置表示モジュールが対応して受取人に物
品の位置を提示し、光表示ランプ又は移動可能指示光ライトアームのランプ光が物品の位
置に自動的に指示し、又はキャビネットの縦横の額縁における縦横座標表示ランプバンク
上のランプが対応して点灯し、又は無線クリップ、無線フックにおける音響光学表示ラン
プが起動し、取出人が自分の物品を迅速に見付けることができるように提示し、受取人が
自分の物品を取り出すことを確認した後で離れ又はドアがある時にドアを閉めて離れる。
【００１５】
本発明のまた更なる技術案として、工程Ａの配達段階において、物品位置記憶モジュー
ルによって物品の位置情報を取得し或いは物品が配置される前記場合、物品により押され
た領域計量器及びそれぞれキャビネットの同一の収納領域に取り付けられる１つ又は複数
の領域分計量器は、各計量器のコードに基づいて、物品の配置された位置を記録する。又
はマシンビジョン裝置によって、配置画像情報を記録して、物品の横縦座標を得、物品の
配置された位置を記録する。又は無線クリップ、無線フックによって物品を固定し、各無
線クリップ、無線フックのコードに基づいて、物品の配置された位置を記録する。
【００１６】
本発明のまた更なる技術案として、工程Ｂにおいて、更に、取り出された物品の重量を
領域計量器、主計量器によって自動的に照合し、或いは取り出された物品情報をマシンビ
ジョン裝置、無線クリップ、無線フックによって自動的に照合する。受取人により取り出
された物品の重量が中央制御モジュールの登録した受取人及びその物品の重量情報と一致
であると、或いはマシンビジョン裝置に記録される画像情報が受取人及びその物品情報と
一致であり、或いは開けられた無線クリップ、無線フックに記録されるコード情報が受取
人及びその物品情報と一致であると、中央制御モジュールは情報を発信して、受け取りに
成功するが、一致しなければ、中央制御モジュールは受取人に情報を発信して取り出しエ
ラーを提示して、再びキャビネットのドアを開けるパスワードの情報を発信し、受取人が
改めて受け取るように要求するが、受取人が実行しない場合、中央制御モジュールは、受
取監視補正システムが警告情報を発信するように制御する。
【００１７】
本発明のまた更なる技術案として、工程Ａ〜工程Ｂで形成された様々な情報は、インタ
ーネット、モノのインターネットを介して受取人のハンディターミナルに送信される。受
取人のハンディターミナルがスマートキャビネットシステムのＡＰＰアプリケーションプ
ラットフォームに登録して認証した後で又はＡＰＰにパスワードが入力されると、キャビ
ネットの付近に近づいた領域において、受取人のハンディターミナルを自動的に識別する
ことができる。
【発明の効果】
【００１８】
上記構造を採用すれば、本発明のスマートキャビネットシステム及びその制御方法は、
既知の技術と比べて、下記の有益な效果を有する。
【００１９】
１.物流の正確率の向上：
【００２０】
本発明のスマートキャビネットシステムは、キャビネット、物品情報入力モジュール、
物品位置記憶モジュール、物品位置表示モジュール、中央制御モジュールを備え、キャビ
ネットに複数の収納領域が設けられ、中央制御モジュールがそれぞれ物品情報入力モジュ
ール、物品位置記憶モジュール、物品位置表示モジュールに繋がる。本発明は、物品情報
入力モジュールによって物品情報を中央制御モジュールに入力し、物品位置記憶モジュー
ルによって物品のキャビネットに入れられた位置を記憶して中央制御モジュールに入力し
て物品情報と関連付ける。受け取る場合に、中央制御モジュールは、物品情報を検索した
後で、物品位置表示モジュールによって物品の位置を表示し、受取人が物品を快速で正確
に受け取るようにする。そのため、本発明は、受け取りの誤り率をよく制御し、物流の正
確率を大いに向上させる。
【００２１】
２.物流の使用率の向上：
【００２２】
本発明は、複数の収納領域が設けられるキャビネットを備え、各々の収納領域内に複数
の荷物を重ねることができるので、１つの荷物が１つの引き出し又は箱を占用することを
避け、その使用率が大いに向上する。
【００２３】
３.物流效率の向上：
【００２４】
本発明のスマートキャビネットシステムは、キャビネット、物品情報入力モジュール、
物品位置記憶モジュール、物品位置表示モジュール、中央制御モジュールを備え、使用時
に、物品情報入力モジュールによって物品情報を中央制御モジュールに入力し、物品位置
記憶モジュールによって物品のキャビネットに入れられた位置を記憶して中央制御モジュ
ールに入力して物品情報と関連付ける。受け取る場合に、中央制御モジュールは、物品情
報を検索した後で、物品位置表示モジュールによって物品の位置を表示し、受取人が物品
を快速で正確に受け取るようにすることができ、その物流效率が高い。
【００２５】
４.広い適用範囲：
【００２６】
既知の物流コンテナは、何れも専用的であり、その同時に、専用的な物流コンテナが空
間的に制限されて、配置される荷物の種類が限られている。本発明のスマートキャビネッ
トシステムは、公衆により同時に使用されることができ、また宅配物流の業務に使用され
る以外、倉庫や車間の部品・物品の収納や、図書館の書類の収納等にも適用され、その適
用範囲が広い。
【００２７】
５.安全で信頼的：
【００２８】
本発明のキャビネットにパスワードロックが取り付けられ、更に、中央制御モジュール
に接続され、受け取る時に計量器の減少した重量が物品重量情報と一致しなく、或いは取
り出された物品がマシンビジョン裝置、無線クリップ、無線フックに記録される情報とシ
ステム記憶に一致していないと、警告し注意するための受取監視補正システムを更に備え
るため、物品は、本スマートキャビネットシステム内において非常に安全で信頼的である
。
【００２９】
以下、添付図面及び実施例に合わせて本発明のスマートキャビネットシステム及びその
制御方法の技術特徴を更に説明する。
【図面の簡単な説明】
【００３０】
【図１】本発明のスマートキャビネットシステムの機能ブロック図である。
【図２】実施例４に記載の本発明のスマートキャビネットシステムの構造模式図である。
【発明を実施するための形態】
【００３１】
実施例１：
【００３２】
キャビネット８、物品情報入力モジュール１、物品位置記憶モジュール２、物品位置表
示モジュール３、中央制御モジュール４、受取監視補正システム５を備えるスマートキャ
ビネットシステムにおいて、キャビネット８に複数の収納領域９が設けられ、中央制御モ
ジュール４がそれぞれ物品情報入力モジュール１、物品位置記憶モジュール２、物品位置
表示モジュール３、受取監視補正システム５に繋がり、
前記物品情報入力モジュール１は、物品情報を中央制御モジュール４に入力することに
用いられ、手動入力設備を含むスマートキャビネットシステムである。
【００３３】
前記物品位置記憶モジュール２は、物品のキャビネットに入れられた位置を記憶して中
央制御モジュール４に入力して物品情報と関連付けることに用いられる。前記物品位置記
憶モジュール２は、計量器を含む。前記計量器は、キャビネットの底部の全体に取り付け
られる主計量器２０１、キャビネットの各々の収納領域に取り付けられるコード化された
領域計量器２０２、それぞれキャビネットの同一の収納領域に取り付けられる１つ又は複
数のコード化された領域分計量器２０３を含む。各計量器がそれぞれ中央制御モジュール
４に接続される。物品１０が配置される場合、物品により押された領域計量器２０２及び
それぞれキャビネットの同一の収納領域に取り付けられる１つ又は複数の領域分計量器２
０３は、計量器のコードに基づいて、物品の配置された位置を記録し、物品の位置情報を
中央制御モジュール４に入力する。
【００３４】
前記物品位置表示モジュール３は、受け取る時に中央制御モジュール４が物品情報を検
索した後で物品の位置を表示することに用いられ、キャビネットの額縁に取り付けられる
光表示ランプを含む。受取人が受け取る場合、物品位置表示モジュール３が対応して受取
人に物品の位置を提示し、光表示ランプが物品の位置を自動的に指示し、取出人が自分の
物品を迅速に見付けることができるように提示する。
【００３５】
前記受取監視補正システム５は、受け取る時に取り出された物品が物品位置記憶モジュ
ール２に記録される位置情報と一致しないと、又は物品が異常に増加すると、警告し注意
し、つまり受け取る時に計量器の減少した重量が物品重量情報と一致しなく、又は物品が
異常に増加すると、警告し注意することに用いられ、警報器を含む。
【００３６】
前記スマートキャビネットシステムは、危険物を判別するための、中央制御モジュール
４に接続される嗅覚センサ６を更に備える。中央制御モジュール４に、危険物嗅覚警報器
７が更に接続され、前記危険物嗅覚警報器７の代わりに受取監視補正システム５を採用し
てもよい。
【００３７】
前記中央制御モジュール４が更にインターネット又はモノのインターネットに繋がる。
前記スマートキャビネットシステムにＡＰＰアプリケーションプラットフォーム及びＷｉ
ｆｉが設けられるので、本発明は、下記機能を持つ。
【００３８】
（１）配達員は、登録した後でウェブページ又はＡＰＰアプリケーションプラットフォ
ームからキャビネットのドアパスワードを申請することができる。
（２）配達員は、登録した後でウェブページ又はＡＰＰアプリケーションプラットフォ
ームからキャビネット内の荷物の状態を問い合わせることができる。
（３）受取人は、登録した後でウェブページ又はＡＰＰアプリケーションプラットフォ
ームからキャビネット内の荷物の状態を問い合わせることができる。
（４）受取人は、登録した後でウェブページ又はＡＰＰアプリケーションプラットフォ
ームからキャビネットのパスワードを問い合わせて受信することができる。
（５）物流会社の物流ネットワークにアクセスする。
【００３９】
実施例２：
【００４０】
キャビネット８、物品情報入力モジュール１、物品位置記憶モジュール２、物品位置表
示モジュール３、中央制御モジュール４、受取監視補正システム５を備えるスマートキャ
ビネットシステムにおいて、キャビネット８に複数の収納領域９が設けられ、中央制御モ
ジュール４がそれぞれ物品情報入力モジュール１、物品位置記憶モジュール２、物品位置
表示モジュール３、受取監視補正システム５に繋がり、
前記物品情報入力モジュール１は、物品情報を中央制御モジュール４に入力することに
用いられ、バーコード走査設備を含むスマートキャビネットシステムである。
【００４１】
前記物品位置記憶モジュール２は、物品のキャビネットに入れられた位置を記憶して中
央制御モジュール４に入力して物品情報と関連付けることに用いられる。前記物品位置記
憶モジュール２は、マシンビジョン裝置を含む。前記マシンビジョン裝置は、キャビネッ
トの額縁に取り付けられる撮像裝置又は監視設備を含む。前記マシンビジョン裝置が中央
制御モジュール４に接続される。物品１０が配置される場合、マシンビジョン裝置によっ
て、配置画像情報を記録して、物品の横縦座標を得、物品の配置された位置を記録し、物
品の位置情報を中央制御モジュール４に入力する。
【００４２】
前記物品位置表示モジュール３は、受け取る時に中央制御モジュール４が物品情報を検
索した後で物品の位置を表示することに用いられ、キャビネットの額縁に取り付けられる
移動可能指示光ライトアーム３０１又は光表示の縦横座標表示ランプバンク３０２を含む
。受取人が受け取る場合、物品位置表示モジュール３が対応して受取人に物品の位置を提
示し、移動可能指示光ライトアームのランプ光が物品の位置を自動的に指示し又は縦横の
額縁における縦横座標表示ランプバンク上のランプが対応して点灯し、取出人が自分の物
品を迅速に見付けることができるように提示する。
【００４３】
前記受取監視補正システム５は、受け取る時に取り出された物品が物品位置記憶モジュ
ール２に記録される位置情報と一致しないと警告し注意し、つまり取り出された物品がマ
シンビジョン裝置の画像情報と一致しないと警告し注意することに用いられ、警報器を含
む。
【００４４】
前記スマートキャビネットシステムは、危険物を判別するための、中央制御モジュール
４に接続される嗅覚センサ６を更に備える。中央制御モジュール４に、危険物嗅覚警報器
７が更に接続され、前記危険物嗅覚警報器７の代わりに受取監視補正システム５を採用し
てもよい。
【００４５】
前記中央制御モジュール４が更にインターネット又はモノのインターネットに繋がる。
前記スマートキャビネットシステムにＡＰＰアプリケーションプラットフォーム及びＷｉ
ｆｉが設けられるので、本発明は、下記機能を持つ。
【００４６】
（１）配達員は、登録した後でウェブページ又はＡＰＰアプリケーションプラットフォ
ームからキャビネットのドアパスワードを申請することができる。
（２）配達員は、登録した後でウェブページ又はＡＰＰアプリケーションプラットフォ
ームからキャビネット内の荷物の状態を問い合わせることができる。
（３）受取人は、登録した後でウェブページ又はＡＰＰアプリケーションプラットフォ
ームからキャビネット内の荷物の状態を問い合わせることができる。
（４）受取人は、登録した後でウェブページ又はＡＰＰアプリケーションプラットフォ
ームからキャビネットのパスワードを問い合わせて受信することができる。
（５）物流会社の物流ネットワークにアクセスする。
【００４７】
実施例３：
【００４８】
キャビネット、物品情報入力モジュール１、物品位置記憶モジュール２、物品位置表示
モジュール３、中央制御モジュール４、受取監視補正システム５を備えるスマートキャビ
ネットシステムにおいて、キャビネットに複数の収納領域が設けられ、中央制御モジュー
ル４がそれぞれ物品情報入力モジュール１、物品位置記憶モジュール２、物品位置表示モ
ジュール３、受取監視補正システム５に繋がり、
前記物品情報入力モジュール１は、物品情報を中央制御モジュール４に入力することに
用いられ、ＲＦＩＤチップ読み出し設備を含むスマートキャビネットシステムである。
【００４９】
前記物品位置記憶モジュール２は、物品のキャビネットに入れられた位置を記憶して中
央制御モジュール４に入力して物品情報と関連付けることに用いられる。前記物品位置記
憶モジュール２は、物品を固定するためのコード付きの無線クリップ２０４、無線フック
２０５を含む。前記無線クリップ２０４、無線フック２０５がそれぞれキャビネットの額
縁に取り付けられる。無線クリップ、無線フックがそれぞれ中央制御モジュール４に接続
される。物品が前記無線クリップ２０４、無線フック２０５に配置される場合、無線クリ
ップ、無線フックにおけるコードによって、物品の配置された位置を記録し、物品の位置
情報を中央制御モジュール４に入力する。前記無線クリップ、無線フックは、有線で又は
無線で充電されてもよく、本無線領域から離れると、音又は光によって警報を発して、無
効になる。
【００５０】
前記物品位置表示モジュール３は、受け取る時に中央制御モジュール４が物品情報を検
索した後で物品の位置を表示することに用いられ、無線クリップ、無線フックにおける音
響光学表示ランプを含む。受取人が受け取る場合、物品位置表示モジュール３が対応して
受取人に物品の位置を提示し、無線フック、クリップにおける音響光学表示ランプが起動
し、取出人が自分の物品を迅速に見付けることができるように提示する。
【００５１】
前記受取監視補正システム５は、受け取る時に取り出された物品が物品位置記憶モジュ
ール２に記録される位置情報と一致しないと警告し注意し、つまり開けられた無線クリッ
プ、無線フックに記録されるコード情報が受取人及びその物品情報と一致しない時に警告
し注意することに用いられ、警報器を含む。
【００５２】
前記スマートキャビネットシステムは、危険物を判別するための、中央制御モジュール
４に接続される嗅覚センサ６を更に備える。中央制御モジュール４に危険物嗅覚警報器７
が更に接続され、前記危険物嗅覚警報器７の代わりに受取監視補正システム５を採用して
もよい。
【００５３】
前記中央制御モジュール４が更にインターネット又はモノのインターネットに繋がる。
前記スマートキャビネットシステムにＡＰＰアプリケーションプラットフォーム及びＷｉ
ｆｉが設けられるので、本発明は、下記機能を持つ。
【００５４】
（１）配達員は、登録した後でウェブページ又はＡＰＰアプリケーションプラットフォ
ームからキャビネットのドアパスワードを申請することができる。
（２）配達員は、登録した後でウェブページ又はＡＰＰアプリケーションプラットフォ
ームからキャビネット内の荷物の状態を問い合わせることができる。
（３）受取人は、登録した後でウェブページ又はＡＰＰアプリケーションプラットフォ
ームからキャビネット内の荷物の状態を問い合わせることができる。
（４）受取人は、登録した後でウェブページ又はＡＰＰアプリケーションプラットフォ
ームからキャビネットのパスワードを問い合わせて受信することができる。
（５）物流会社の物流ネットワークにアクセスする。
【００５５】
本実施例３の変化例として、前記物品位置記憶モジュール２は、コード付きの無線クリ
ップ２０４又はコード付きの無線フック２０５の一方のみを含んでもよい。
【００５６】
実施例４：
【００５７】
キャビネット８、物品情報入力モジュール１、物品位置記憶モジュール２、物品位置表
示モジュール３、中央制御モジュール４、受取監視補正システム５を備えるスマートキャ
ビネットシステムにおいて、キャビネット８に複数の収納領域９が設けられ、中央制御モ
ジュール４がそれぞれ物品情報入力モジュール１、物品位置記憶モジュール２、物品位置
表示モジュール３、受取監視補正システム５に繋がり、
前記物品情報入力モジュール１は、物品情報を中央制御モジュール４に入力することに
用いられ、手動入力設備又はバーコード走査設備又はＲＦＩＤチップ読み出し設備を含む
。
【００５８】
前記物品位置記憶モジュール２は、物品のキャビネットに入れられた位置を記憶して中
央制御モジュール４に入力して物品情報と関連付けることに用いられる。前記物品位置記
憶モジュール２は、計量器、物品を固定するためのコード付きの無線クリップ２０４、無
線フック２０５を含む。前記計量器は、キャビネットの底部の全体に取り付けられる主計
量器２０１、キャビネットの収納領域の一部に取り付けられるコード化された領域計量器
２０２、それぞれキャビネットの同一の収納領域に取り付けられる３つのコード化された
領域分計量器２０３を含む。各計量器がそれぞれ中央制御モジュール４に接続される。物
品が配置される場合、物品１０により押された領域計量器２０２及びそれぞれキャビネッ
トの同一の収納領域に取り付けられる３つの領域分計量器２０３は、計量器のコードに基
づいて、物品の配置された位置を記録し、物品の位置情報を中央制御モジュール４に入力
する。
【００５９】
前記無線クリップ２０４、無線フック２０５は、それぞれ収納領域の別の一部のキャビ
ネットの額縁に取り付けられる。無線クリップ、無線フックがそれぞれ中央制御モジュー
ル４に接続される。物品が前記無線クリップ、無線フックに配置される場合、無線クリッ
プ、無線フックにおけるコードによって、物品の配置された位置を記録し、物品の位置情
報を中央制御モジュール４に入力する。
【００６０】
前記物品位置表示モジュール３は、受け取る時に中央制御モジュール４が物品情報を検
索した後で物品の位置を表示することに用いられ、計量器の設けられた収納領域キャビネ
ットの額縁に取り付けられる移動可能指示光ライトアーム３０１又は光表示の縦横座標表
示ランプバンク３０２を含み、無線クリップ、無線フックに設けられる音響光学表示ラン
プを更に含む。受取人が受け取る場合、移動可能指示光ライトアームのランプ光が物品の
位置を自動的に指示し又は縦横の額縁における縦横座標表示ランプバンク上のランプが対
応して点灯し、無線フック、クリップにおける音響光学表示ランプが起動し、取出人が自
分の物品を迅速に見付けることができるように提示する。
【００６１】
前記受取監視補正システム５は、受け取る時に取り出された物品が物品位置記憶モジュ
ール２に記録される位置情報と一致しないと、又は物品が異常に増加すると、警告し注意
し、つまり受け取る時に計量器の減少した重量が物品重量情報と一致しなく、又は物品が
異常に増加すると、警告し注意することに用いられ、警報器を含む。
【００６２】
前記スマートキャビネットシステムは、危険物を判別するための、中央制御モジュール
４に接続される嗅覚センサ６を更に備える。中央制御モジュール４に、危険物嗅覚警報器
７が更に接続され、前記危険物嗅覚警報器７の代わりに受取監視補正システム５を採用し
てもよい。
【００６３】
前記中央制御モジュール４が更にインターネット又はモノのインターネットに繋がる。
前記スマートキャビネットシステムにＡＰＰアプリケーションプラットフォーム及びＷｉ
ｆｉが設けられるので、本発明は、下記機能を持つ。
【００６４】
（１）配達員は、登録した後でウェブページ又はＡＰＰアプリケーションプラットフォ
ームからキャビネットのドアパスワードを申請することができる。
（２）配達員は、登録した後でウェブページ又はＡＰＰアプリケーションプラットフォ
ームからキャビネット内の荷物の状態を問い合わせることができる。
（３）受取人は、登録した後でウェブページ又はＡＰＰアプリケーションプラットフォ
ームからキャビネット内の荷物の状態を問い合わせることができる。
（４）受取人は、登録した後でウェブページ又はＡＰＰアプリケーションプラットフォ
ームからキャビネットのパスワードを問い合わせて受信することができる。
（５）物流会社の物流ネットワークにアクセスする。
【００６５】
上記実施例１〜実施例４の変化例として、前記計量器又はマシンビジョン裝置又はコー
ド付きの無線クリップ２０４、無線フック２０５は、同じキャビネットの異なる収納領域
に設けられてよい。同様に、光表示ランプ又は移動可能指示光ライトアーム３０１又は縦
横座標表示ランプバンク３０２又は音響光学表示ランプも、同じキャビネットの異なる収
納領域に設けられてよい。
【００６６】
実施例５：
【００６７】
スマートキャビネットシステムの制御方法であり、本方法は、実施例１に記載のスマー
トキャビネットシステムの制御方法であり、物品情報入力モジュール１によって物品情報
を中央制御モジュール４に入力し、物品がキャビネットに入れられた後で物品位置記憶モ
ジュール２によってその位置を記憶して中央制御モジュール４に入力して物品情報と関連
付ける。受け取る時に中央制御モジュール４によって物品情報を検索した後で物品位置表
示モジュール３によって物品の位置を表示する。
【００６８】
前記方法の具体的な工程は、下記の通りである。
【００６９】
Ａ、配達段階：
【００７０】
配達の前に、まず、物品情報入力モジュール１のような手動入力設備によって物品情報
を中央制御モジュール４に入力する。
【００７１】
配達の時に、配達員は、物品情報読み出し裝置によって物品情報を読み出し、物品をキ
ャビネット内に配置した後で、物品位置記憶モジュール２のような計量器によって物品の
位置情報を取得し、つまり物品が配置される場合、物品により押された領域計量器及びそ
れぞれキャビネットの同一の収納領域に取り付けられる１つ又は複数の領域分計量器は、
計量器のコードに基づいて、物品の配置された位置を記録する。前記物品情報、位置情報
を同時に中央制御モジュール４内に入力して関連付ける。中央制御モジュール４が物品情
報に基づいて位置情報を受取人に送信し、受取人の物品の所在するキャビネットの位置を
知らせ、ドアがある時にキャビネットのドアを開けるパスワードをランダムに生成し、前
記パスワードが受取人の情報に一意に対応し、つまり１つのパスワードによってキャビネ
ットのドアが開けられると、ある受取人がキャビネットのドアを開けることに対応するこ
とができる。
【００７２】
Ｂ、受取段階：
【００７３】
受取人が受け取る場合、ドアがある時に中央制御モジュール４の与えられたパスワード
によって、まずキャビネットのドアを開け、物品位置表示モジュール３が対応して受取人
に物品の位置を提示し、光表示ランプが物品の位置を表示し、取出人が自分の物品を迅速
に見付けることができるように提示し、受取人が自分の物品を取り出すことを確認した後
で離れ又はドアがある時にドアを閉めて離れる。
【００７４】
上記工程Ｂにおいて、更に、取り出された物品の重量を領域計量器、主計量器によって
自動的に照合し、受取人により取り出された物品の重量が中央制御モジュールの登録した
受取人及びその物品の重量情報と一致であると、中央制御モジュールは情報を発信して、
受け取りに成功するが、一致しなければ、中央制御モジュールは受取人に情報を発信して
取り出しエラーを提示し、受取人が改めて受け取るように要求するが、受取人が実行しな
い場合、中央制御モジュールは、受取監視補正システム５が警告情報を発信するように制
御する。
【００７５】
物品が異常に増加する場合、受取監視補正システム５も警告を発信して注意する。
【００７６】
嗅覚センサが危険物を検出した場合、危険物嗅覚警報器７も同様に警告を発信して注意
する。
【００７７】
工程Ａ〜工程Ｂで形成された様々な情報は、インターネット、モノのインターネットを
介して受取人のハンディターミナルに送信される。受取人のハンディターミナルがキャビ
ネットのＡＰＰアプリケーションプラットフォームに登録して認証した後で又はＡＰＰに
パスワードが入力されると、キャビネットの付近に近づいた領域において、受取人のハン
ディターミナルを自動的に識別することができる。
【００７８】
実施例６：
【００７９】
スマートキャビネットシステムの制御方法であり、本方法は、実施例２に記載のスマー
トキャビネットシステムの制御方法であり、物品情報入力モジュール１によって物品情報
を中央制御モジュール４に入力し、物品がキャビネットに入れられた後で物品位置記憶モ
ジュール２によってその位置を記憶して中央制御モジュール４に入力して物品情報と関連
付ける。受け取る時に中央制御モジュール４によって物品情報を検索した後で物品位置表
示モジュール３によって物品の位置を表示する。
【００８０】
前記方法の具体的な工程は、下記の通りである。
【００８１】
Ａ、配達段階：
【００８２】
配達の前に、まず、物品情報入力モジュール１のようなバーコード走査設備によって物
品情報を中央制御モジュール４に入力する。
【００８３】
配達の時に、配達員は、物品情報読み出し裝置によって物品情報を読み出し、物品をキ
ャビネット内に配置した後で、物品位置記憶モジュール２のようなマシンビジョン裝置に
よって物品の位置情報を取得し、つまり物品が配置される場合、マシンビジョン裝置によ
って、配置画像情報を記録して、物品の横縦座標を得、物品の配置された位置を記録する
。前記物品情報、位置情報を同時に中央制御モジュール４内に入力して関連付ける。中央
制御モジュール４が物品情報に基づいて位置情報を受取人に送信し、受取人の物品の所在
するキャビネットの位置を知らせ、ドアがある時にキャビネットのドアを開けるパスワー
ドをランダムに生成し、前記パスワードが受取人の情報に一意に対応し、つまり１つのパ
スワードによってキャビネットのドアが開けられると、ある受取人がキャビネットのドア
を開けることに対応することができる。
【００８４】
Ｂ、受取段階：
【００８５】
受取人が受け取る場合、ドアがある時に中央制御モジュール４の与えられたパスワード
によって、まずキャビネットのドアを開け、物品位置表示モジュール３が対応して受取人
に物品の位置を提示し、移動可能指示光ライトアームのランプ光が物品の位置を自動的に
指示し又は縦横の額縁における縦横座標表示ランプバンク上のランプが対応して点灯し、
取出人が自分の物品を迅速に見付けることができるように提示し、受取人が自分の物品を
取り出すことを確認した後で離れ又はドアがある時にドアを閉めて離れる。
【００８６】
上記工程Ｂにおいて、更に、取り出された物品情報をマシンビジョン裝置によって自動
的に照合する。マシンビジョン裝置に記録される画像情報が受取人の情報と一致であると
、中央制御モジュールは情報を発信して、受け取りに成功するが、一致しなければ、中央
制御モジュールは受取人に情報を発信して取り出しエラーを提示し、受取人が改めて受け
取るように要求するが、受取人が実行しない場合、中央制御モジュールは、受取監視補正
システム５が警告情報を発信するように制御する。
【００８７】
物品が異常に増加する場合、受取監視補正システム５も警告を発信して注意する。
【００８８】
嗅覚センサが危険物を検出した場合、危険物嗅覚警報器７も同様に警告を発信して注意
する。
【００８９】
工程Ａ〜工程Ｂで形成された様々な情報は、インターネット、モノのインターネットを
介して受取人のハンディターミナルに送信される。受取人のハンディターミナルがキャビ
ネットのＡＰＰアプリケーションプラットフォームに登録して認証した後で又はＡＰＰに
パスワードが入力されると、キャビネットの付近に近づいた領域において、受取人のハン
ディターミナルを自動的に識別することができる。
【００９０】
実施例７：
【００９１】
スマートキャビネットシステムの制御方法であり、本方法は、実施例３に記載のスマー
トキャビネットシステムの制御方法であり、物品情報入力モジュール１によって物品情報
を中央制御モジュール４に入力し、物品がキャビネットに入れられた後で物品位置記憶モ
ジュール２によってその位置を記憶して中央制御モジュール４に入力して物品情報と関連
付ける。受け取る時に中央制御モジュール４によって物品情報を検索した後で物品位置表
示モジュール３によって物品の位置を表示する。
【００９２】
前記方法の具体的な工程は、下記の通りである。
【００９３】
Ａ、配達段階：
【００９４】
配達の前に、まず、物品情報入力モジュール１のようなＲＦＩＤチップ読み出し設備に
よって物品情報を中央制御モジュール４に入力する。
【００９５】
配達の時に、配達員は、無線クリップ、無線フックによって物品情報を読み出し、物品
をキャビネット内に配置した後で、物品位置記憶モジュール２のような無線クリップ、無
線フックによって物品の位置情報を取得し、つまり物品が配置される場合、無線クリップ
、無線フックにおけるコードによって、物品の配置された位置を記録し、物品の位置情報
を中央制御モジュール４に入力する。前記物品情報、位置情報を同時に中央制御モジュー
ル４内に入力して関連付ける。中央制御モジュール４が物品情報に基づいて位置情報を受
取人に送信し、受取人の物品の所在するキャビネットの位置を知らせ、ドアがある時にキ
ャビネットのドアを開けるパスワードをランダムに生成し、前記パスワードが受取人の情
報に一意に対応し、つまり１つのパスワードによってキャビネットのドアが開けられると
、ある受取人がキャビネットのドアを開けることに対応することができる。
【００９６】
Ｂ、受取段階：
【００９７】
受取人が受け取る場合、ドアがある時に中央制御モジュール４の与えられたパスワード
によって、まずキャビネットのドアを開け、物品位置表示モジュール３が対応して受取人
に物品の位置を提示し、無線クリップ、無線フックにおける音響光学表示ランプが起動し
、取出人が自分の物品を迅速に見付けることができるように提示し、受取人が自分の物品
を取り出すことを確認した後で離れ又はドアがある時にドアを閉めて離れる。
【００９８】
上記工程Ｂにおいて、更に、取り出された物品情報を無線クリップ、無線フックによっ
て自動的に照合する。開けられた無線クリップ、無線フックに記録されるコード情報が受
取人の情報と一致であると、中央制御モジュールは情報を発信して、受け取りに成功する
が、一致しなければ、中央制御モジュールは受取人に情報を発信して取り出しエラーを提
示し、受取人が改めて受け取るように要求するが、受取人が実行しない場合、中央制御モ
ジュールは、受取監視補正システム５が警告情報を発信するように制御する。
【００９９】
物品が異常に増加する場合、受取監視補正システム５も警告を発信して注意する。
【０１００】
嗅覚センサが危険物を検出した場合、危険物嗅覚警報器７も同様に警告を発信して注意
する。
【０１０１】
工程Ａ〜工程Ｂで形成された様々な情報は、インターネット、モノのインターネットを
介して受取人のハンディターミナルに送信される。受取人のハンディターミナルがキャビ
ネットのＡＰＰアプリケーションプラットフォームに登録して認証した後で又はＡＰＰに
パスワードが入力されると、キャビネットの付近に近づいた領域において、受取人のハン
ディターミナルを自動的に識別することができる。
【０１０２】
実施例８：
【０１０３】
スマートキャビネットシステムの制御方法であり、本方法は、実施例４に記載のスマー
トキャビネットシステムの制御方法であり、物品情報入力モジュール１によって物品情報
を中央制御モジュール４に入力し、物品がキャビネットに入れられた後で物品位置記憶モ
ジュール２によってその位置を記憶して中央制御モジュール４に入力して物品情報と関連
付ける。受け取る時に中央制御モジュール４によって物品情報を検索した後で物品位置表
示モジュール３によって物品の位置を表示する。
【０１０４】
前記方法の具体的な工程は、下記の通りである。
【０１０５】
Ａ、配達段階：
【０１０６】
配達の前に、まず、物品情報入力モジュール１のような手動入力設備又はバーコード走
査設備又はＲＦＩＤチップ読み出し設備によって物品情報を中央制御モジュール４に入力
する。
【０１０７】
配達の時に、配達員は、配達の前に、まず、物品情報入力モジュール１のような手動入
力設備によって物品情報を中央制御モジュール４に入力する。
【０１０８】
配達の時に、配達員は、物品情報読み出し裝置によって物品情報を読み出し、物品をキ
ャビネット内に配置した後で、物品位置記憶モジュール２のような計量器又は無線クリッ
プ、無線フックによって物品の位置情報を取得し、つまり物品が配置される場合、物品に
より押された領域計量器及び領域分計量器は、計量器のコードに基づいて、物品の配置さ
れた位置を記録する。或いは物品が無線クリップ、無線フックに配置される場合、無線ク
リップ、無線フックにおけるコードによって、物品の配置された位置を記録し、前記物品
情報、位置情報を同時に中央制御モジュール４内に入力して関連付ける。中央制御モジュ
ール４が物品情報に基づいて位置情報を受取人に送信し、受取人の物品の所在するキャビ
ネットの位置を知らせ、ドアがある時にキャビネットのドアを開けるパスワードをランダ
ムに生成し、前記パスワードが受取人の情報に一意に対応し、つまり１つのパスワードに
よってキャビネットのドアが開けられると、ある受取人がキャビネットのドアを開けるこ
とに対応することができる。
【０１０９】
Ｂ、受取段階：
【０１１０】
受取人が受け取る場合、ドアがある時に中央制御モジュール４の与えられたパスワード
によって、まずキャビネットのドアを開け、物品位置表示モジュール３が対応して受取人
に物品の位置を提示し、移動可能指示光ライトアームのランプ光が物品の位置を自動的に
指示し又は縦横の額縁における縦横座標表示ランプバンク上のランプが対応して点灯し、
無線クリップ、無線フックにおける音響光学表示ランプが起動し、取出人が自分の物品を
迅速に見付けることができるように提示し、受取人が自分の物品を取り出すことを確認し
た後で離れ又はドアがある時にドアを閉めて離れる。
【０１１１】
上記工程Ｂにおいて、更に、取り出された物品の重量を領域計量器、主計量器によって
自動的に照合し或いは無線クリップ、無線フックによって取り出された物品情報を自動的
に照合する。受取人により取り出された物品の重量が中央制御モジュールの登録した受取
人及びその物品の重量情報と一致であると、或いは開けられた無線クリップ、無線フック
に記録されるコード情報が受取人の情報と一致であると、中央制御モジュールは情報を発
信して、受け取りに成功するが、一致しなければ、中央制御モジュールは受取人に情報を
発信して取り出しエラーを提示し、受取人が改めて受け取るように要求するが、受取人が
実行しない場合、中央制御モジュールは、受取監視補正システム５が警告情報を発信する
ように制御する。
【０１１２】
物品が異常に増加する場合、受取監視補正システム５も警告を発信して注意する。
【０１１３】
嗅覚センサが危険物を検出した場合、危険物嗅覚警報器７も同様に警告を発信して注意
する。
【０１１４】
工程Ａ〜工程Ｂで形成された様々な情報は、インターネット、モノのインターネットを
介して受取人のハンディターミナルに送信される。受取人のハンディターミナルがキャビ
ネットのＡＰＰアプリケーションプラットフォームに登録して認証した後で又はＡＰＰに
パスワードが入力されると、キャビネットの付近に近づいた領域において、受取人のハン
ディターミナルを自動的に識別することができる。
【符号の説明】
【０１１５】
１  物品情報入力モジュール
２  物品位置記憶モジュール
２０１  主計量器
２０２  領域計量器
２０３  領域分計量器
２０４  無線クリップ
２０５  無線フック
３  物品位置表示モジュール
３０１  移動可能指示光ライトアーム
３０２  縦横座標表示ランプバンク
４  中央制御モジュール
５  受取監視補正システム
６  嗅覚センサ
７  危険物嗅覚警報器
８  キャビネット
９  収納領域
１０  物品
【図１】
2020524648.tif 000003
【図２】
2020524648.tif 000004
【国際調査報告】
2020524648.tif 000005
2020524648.tif 000006
2020524648.tif 000007
2020524648.tif 000008